(57)【要約】【課題】交換する際の施工作業が容易な照明器具を提供する。【解決手段】照明器具は、天井から吊り下げられた吊り下げボルトを用いて天井に取り付けられる器具本体と、器具本体に取り付けられ、照射対象空間に光を照射する光源ユニットと、吊り下げボルトと器具本体との間において器具本体に設けられ、吊り下げボルトと器具本体とを接続するボルト受け部と、を備える。【選択図】図１
2020136240.tif 000002
【特許請求の範囲】
【請求項１】
天井から吊り下げられた吊り下げボルトを用いて前記天井に取り付けられる器具本体と、
前記器具本体に取り付けられ、照射対象空間に光を照射する光源ユニットと、
前記吊り下げボルトと前記器具本体との間において前記器具本体に設けられ、前記吊り下げボルトと前記器具本体とを接続するボルト受け部と、
を備える照明器具。
【請求項２】
前記器具本体と前記ボルト受け部とは、別体である
請求項１記載の照明器具。
【請求項３】
前記器具本体には、開口が形成されており、
前記ボルト受け部は、
前記器具本体の前記開口に嵌め込まれる
請求項２記載の照明器具。
【請求項４】
前記ボルト受け部は、
前記器具本体から立設する立ち上がり面を有する
請求項２又は３記載の照明器具。
【請求項５】
前記器具本体及び前記ボルト受け部のうち一方は、爪部を有し、前記器具本体及び前記ボルト受け部のうち他方には、前記爪部が係合する係合穴が形成されている
請求項２〜４のいずれか１項に記載の照明器具。
【請求項６】
前記器具本体及び前記ボルト受け部のうち一方は、軸部を有し、前記器具本体及び前記ボルト受け部のうち他方には、前記軸部が高さ方向に移動自在に挿入される高さ方向に延びるスリットが形成されている
請求項２〜５のいずれか１項に記載の照明器具。
【請求項７】
前記器具本体は、前記吊り下げボルト側に延びており、
前記ボルト受け部は、前記器具本体の一部を構成している
請求項１記載の照明器具。
【請求項８】
前記器具本体に前記光源ユニットを取り付ける光源保持ばねと、
前記器具本体と前記光源保持ばねとを接続し、前記器具本体から前記光源ユニットを離間させる取付台と、
を更に備える請求項７記載の照明器具。
【請求項９】
前記器具本体は、
前記天井に形成された開口に埋め込まれている
請求項１〜８のいずれか１項に記載の照明器具。
【請求項１０】
前記器具本体は、
前記天井の天井面に直接取り付けられている
請求項１〜８のいずれか１項に記載の照明器具。
【発明の詳細な説明】
【技術分野】
【０００１】
本発明は、吊り下げボルトを用いて天井に取り付けられる照明器具に関する。
【背景技術】
【０００２】
従来、天井から吊り下げられた吊り下げボルトを用いて天井に取り付けられる照明器具が知られている。天井に取り付けられる照明器具として、天井埋め込み形と天井直付け形とが挙げられる。天井埋め込み形の照明器具は、天井に形成された開口に埋め込まれるものである。天井直付け形の照明器具は、天井の天井面に直接取り付けられるものである。ここで、既設されている照明器具が、新たな照明器具に更新される場合がある。新たな照明器具が取り付けられる際、既設された吊り下げボルトが流用される場合がある。技術の進歩に伴って、新たな照明器具は、既設の照明器具に比べて薄型であることが多い。既設された吊り下げボルトは、既設の照明器具の厚さに適合した長さである。このため、天井埋め込み形の照明器具の場合、新たな照明器具が設置されても、厚さが薄くなった分だけ、吊り下げボルトの長さが足りず、吊り下げボルトが照明器具まで届かないおそれがある。
【０００３】
吊り下げボルトが照明器具まで届かないことを回避する目的として、特許文献１には、既設された吊り下げボルトが延長された照明器具が開示されている。特許文献１の吊り下げボルトには、下端部に延長ナットが締結され、延長ナットの下端に延長ボルトが締結されている。このように、延長ナット及び延長ボルトによって、吊り下げボルトが実質的に延長されて継ぎ足しされている。これにより、特許文献１は、新たな照明器具が既設の照明器具より薄くても、延長された吊り下げボルトが新たな照明器具に届くようにしようとするものである。
【先行技術文献】
【特許文献】
【０００４】
【特許文献１】実用新案登録第３１５３９１２号公報
【発明の概要】
【発明が解決しようとする課題】
【０００５】
しかしながら、特許文献１に開示された照明器具は、既設の吊り下げボルト自体を延長しているため、新たな照明器具が既設の吊り下げボルトに適合しなければ、新たな照明器具を取り付けることができない。また、天井直付け形の照明器具の場合、既設の照明器具の厚さが厚いため、既設の吊り下げボルトが長くなっていることがある。新たな照明器具が設置されても、既設の照明器具よりも厚さが薄くなった分だけ、新たな照明器具は天井面に近い位置に配置される。このため、新たな照明器具が、長さの長い吊り下げボルトに干渉するおそれがある。従って、吊り下げボルトを切断する必要が生じる可能性がある。このように、従来、照明器具の付け替えの際に、既設された吊り下げボルトを加工せずにそのまま利用することができず、施工作業が複雑となる。
【０００６】
本発明は、上記のような課題を解決するためになされたもので、交換する際の施工作業が容易な照明器具を提供するものである。
【課題を解決するための手段】
【０００７】
本発明に係る照明器具は、天井から吊り下げられた吊り下げボルトを用いて天井に取り付けられる器具本体と、器具本体に取り付けられ、照射対象空間に光を照射する光源ユニットと、吊り下げボルトと器具本体との間において器具本体に設けられ、吊り下げボルトと器具本体とを接続するボルト受け部と、を備える。
【発明の効果】
【０００８】
本発明によれば、吊り下げボルトと器具本体との間において器具本体に設けられ、吊り下げボルトと器具本体とを接続するボルト受け部を備えている。このため、天井埋め込み形の照明器具の場合、新たな照明器具が薄くて、吊り下げボルトと照明器具との距離が離れても、距離が離れた分だけボルト受け部の高さが負担する。また、天井直付け形の照明器具の場合、新たな照明器具が薄くて、吊り下げボルトと照明器具との距離が近づこうとしても、近づこうとする分だけボルト受け部の高さが負担する。このように、吊り下げボルトに加工を施すことなく、照明器具を交換することができる。即ち、照明器具を交換する際の施工作業が容易であり、施工にかかるコストを削減することもできる。
【図面の簡単な説明】
【０００９】
【図１】本発明の実施の形態１に係る照明器具１を上側からみた場合の組立斜視図である。
【図２】本発明の実施の形態１に係る照明器具１を下側からみた場合の組立斜視図である。
【図３】本発明の実施の形態１に係る照明器具１を上側からみた場合の分解斜視図である。
【図４】本発明の実施の形態１に係る照明器具１を示す側面断面図である。
【図５】本発明の実施の形態１に係る器具本体１ａ及びボルト受け部１ｃを示す斜視図である。
【図６】本発明の実施の形態１に係る器具本体１ａ及びボルト受け部１ｃを示す斜視図である。
【図７】本発明の実施の形態１に係る照明器具１を示す正面断面図である。
【図８】変形例に係る器具本体１ａ及びボルト受け部１ｃを示す斜視図である。
【図９】変形例に係る器具本体１ａ及びボルト受け部１ｃを示す斜視図である。
【図１０】変形例に係る器具本体１ａ及びボルト受け部１ｃを示す斜視図である。
【図１１】本発明の実施の形態２に係る照明器具３を上側からみた場合の組立斜視図である。
【図１２】本発明の実施の形態２に係る照明器具３を下側からみた場合の組立斜視図である。
【図１３】本発明の実施の形態２に係る照明器具３を上側からみた場合の分解斜視図である。
【図１４】本発明の実施の形態２に係る照明器具３を示す側面断面図である。
【図１５】本発明の実施の形態２に係る照明器具３を示す正面断面図である。
【図１６】本発明の実施の形態３に係る照明器具５を上側からみた場合の組立斜視図である。
【図１７】本発明の実施の形態３に係る照明器具５を下側からみた場合の組立斜視図である。
【図１８】本発明の実施の形態３に係る照明器具５を下側からみた場合の分解斜視図である。
【図１９】本発明の実施の形態３に係る照明器具５を示す正面断面図である。
【図２０】本発明の実施の形態４に係る照明器具７を上側からみた場合の組立斜視図である。
【図２１】本発明の実施の形態４に係る照明器具７を下側からみた場合の組立斜視図である。
【図２２】本発明の実施の形態４に係る照明器具７を下側からみた場合の分解斜視図である。
【図２３】本発明の実施の形態４に係る照明器具７を示す正面断面図である。
【発明を実施するための形態】
【００１０】
以下、本発明に係る照明器具の実施の形態について、図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語を適宜用いるが、これは説明のためのものであって、これらの用語は本発明を限定するものではない。方向を表す用語としては、例えば、「上」、「下」、「右」、「左」、「前」又は「後」等が挙げられる。
【００１１】
実施の形態１．
図１は、本発明の実施の形態１に係る照明器具１を上側からみた場合の組立斜視図であり、図２は、本発明の実施の形態１に係る照明器具１を下側からみた場合の組立斜視図である。図３は、本発明の実施の形態１に係る照明器具１を上側からみた場合の分解斜視図である。照明器具１は、被取付部である天井１０１に取り付けられるものであり、長手方向に延びている。図１〜図３に示すように、照明器具１は、器具本体１ａと、器具端板１ｂと、端子台１ｅと、光源保持ばね１ｄと、光源ユニット２と、ボルト受け部１ｃとを備えている。なお、本実施の形態１は、被取付部である天井１０１に設けられた開口１０４に埋め込まれるように取り付けられる天井埋め込み形の照明器具１について例示している。
【００１２】
（器具本体１ａ）
図４は、本発明の実施の形態１に係る照明器具１を示す側面断面図である。図４に示すように、器具本体１ａは、天井１０１を構成する天井材１０３に形成された開口１０４に埋め込まれた部材である。器具本体１ａは、天井１０１から吊り下げられた吊り下げボルト１００を用いて天井１０１に取り付けられる。図３に示すように、器具本体１ａは、光源ユニット２を収納する凹部１ｒが形成された収納部１ｏと、収納部１ｏの幅方向の両側端部から外側且つ照射対象空間側に延びる反射部１ｓとを有している。
【００１３】
収納部１ｏは、底部１ｐと底部１ｐの両側端部から垂直に立ち上がる側部１ｑとを有し、凹部１ｒは、底部１ｐ及び２つの側部１ｑによって囲まれた空間である。収納部１ｏの底部１ｐには、端子台１ｅ等が取り付けられる。底部１ｐには、外部電源（図示せず）から端子台１ｅに電源を供給する電源線（図示せず）が挿入される電源孔１ｔが形成されている。また、底部１ｐには、ボルト受け部１ｃが嵌め込まれる開口１ｋが形成されている。側部１ｑには、係合穴１ｇが形成されている。反射部１ｓは、光源ユニット２から照射される光を反射して照射対象空間側に導く。
【００１４】
（器具端板１ｂ）
器具端板１ｂは、器具本体１ａの長手方向の両端部に設けられる板状の部材である。器具端板１ｂは、器具本体１ａの凹部１ｒの長手方向の両端部を覆う。
【００１５】
（端子台１ｅ）
端子台１ｅは、器具本体１ａの凹部１ｒに収納され、収納部１ｏの底部１ｐに取り付けられる。端子台１ｅは、外部電源に接続された電源線が接続され、外部電源から供給された電源を光源ユニット２に供給する。
【００１６】
（光源保持ばね１ｄ）
光源保持ばね１ｄは、器具本体１ａに光源ユニット２を取り付ける部材であり、弾性を有する。光源保持ばね１ｄは、付勢されていない状態で器具本体１ａに取り付けられており、器具本体１ａに光源ユニット２が取り付けられる際、光源保持ばね１ｄが曲げられて光源ユニット２に引っ掛かり、器具本体１ａに光源ユニット２を取り付ける。
【００１７】
（光源ユニット２）
光源ユニット２は、器具本体１ａに取り付けられ、照射対象空間に光を照射する。光源ユニット２は、器具本体１ａの収納部１ｏの凹部１ｒに収容される。光源ユニット２は、電源装置２ａを有しており、電源装置２ａは、光源ユニット２に設けられた光源（図示せず）が実装された基板（図示せず）に電源を供給し、光源を点灯させる。
【００１８】
（ボルト受け部１ｃ）
図５は、本発明の実施の形態１に係る器具本体１ａ及びボルト受け部１ｃを示す斜視図である。図５に示すように、ボルト受け部１ｃは、吊り下げボルト１００（図４参照）と器具本体１ａとの間において器具本体１ａに設けられ、吊り下げボルト１００と器具本体１ａとを接続する。ボルト受け部１ｃは、有底角筒状の部材であり、器具本体１ａとは別体である。ボルト受け部１ｃは、器具本体１ａに取り付けられたときに器具本体１ａから立設する４つの立ち上がり面１ｈと、４つの立ち上がり面１ｈを接続するボルト受け部１ｃの上面１ｘとから構成されている。
【００１９】
上面１ｘには、吊り下げボルト１００が挿入されて螺合されるボルト穴１ｕが形成されている。４つの立ち上がり面１ｈのうち、長手方向において対向する２つの立ち上がり面１ｈの下端には、長手方向の外側に延びるフランジ部１ｙが設けられており、フランジ部１ｙには取付穴１ｖが形成されている。吊り下げボルト１００が締結される際、ボルト受け部１ｃの立ち上がり面１ｈが締結力を直接受けて吸収するため、器具本体１ａにかかる負担が緩和する。これにより、器具本体１ａ等の部材が変形することを抑制することができる。
【００２０】
図６は、本発明の実施の形態１に係る器具本体１ａ及びボルト受け部１ｃを示す斜視図である。図６に示すように、ボルト受け部１ｃは、取付穴１ｖ（図５参照）にネジ１ｆが挿入されて、器具本体１ａに取り付けられる。なお、ボルト受け部１ｃと器具本体１ａとは、ネジ１ｆに限らず、ボルト又はかしめ等によって接続されてもよい。また、４つの立ち上がり面１ｈのうち、幅方向において対向する２つの立ち上がり面１ｈには、外側に突出する爪部１ｌが設けられている。なお、幅方向において対向する２つの立ち上がり面１ｈは、器具本体１ａの側部１ｑに沿って設けられている。
【００２１】
ボルト受け部１ｃが器具本体１ａに取り付けられる際、爪部１ｌは、器具本体１ａの係合穴１ｇに係合する。これにより、ボルト受け部１ｃと器具本体１ａとを固定しているネジ１ｆが外れても、爪部１ｌが係合穴１ｇに引っ掛かり、ボルト受け部１ｃが器具本体１ａから脱落することを抑制する。なお、本実施の形態１では、ボルト受け部１ｃが爪部１ｌを有し、器具本体１ａに係合穴１ｇが形成されている場合について例示している。しかし、器具本体１ａ及びボルト受け部１ｃのうち一方は、爪部１ｌを有し、器具本体１ａ及びボルト受け部１ｃのうち他方には、爪部１ｌが係合する係合穴１ｇが形成されていればよい。なお、立ち上がり面１ｈは、４面に限らず２面でもよいしその他の面数でもよい。
【００２２】
図７は、本発明の実施の形態１に係る照明器具１を示す正面断面図である。図７に示すように、吊り下げボルト１００が、ボルト受け部１ｃの上面１ｘのボルト穴１ｕ（図６参照）に挿入されて螺合されると、器具本体１ａはボルト受け部１ｃを介して吊り下げボルト１００に固定される。本実施の形態１の照明器具１は、天井埋め込み形であるため、器具本体１ａが天井材１０３に形成された開口１０４に埋め込まれる。このように、吊り下げボルト１００のうちボルト部分を除く部分の下端と器具本体１ａの上端との間の距離Ｌは、ボルト受け部１ｃの高さ方向の長さＬと等しい。
【００２３】
本実施の形態１によれば、吊り下げボルト１００と器具本体１ａとの間において器具本体１ａに設けられ、吊り下げボルト１００と器具本体１ａとを接続するボルト受け部１ｃを備えている。ここで、既設されている照明器具が、新たな照明器具１に更新される場合がある。この場合、既設された吊り下げボルト１００は流用される。技術の進歩に伴って、新たな照明器具１は、既設の照明器具に比べて薄型であることが多い。既設された吊り下げボルト１００は、既設の照明器具の厚さに適合した長さである。このため、天井埋め込み形の照明器具１の場合、新たな照明器具１が設置されても、厚さが薄くなった分だけ、吊り下げボルト１００の長さが足りず、吊り下げボルト１００が照明器具１まで届かないおそれがある。
【００２４】
これに対し、本実施の形態１は、吊り下げボルト１００と器具本体１ａとの間において、吊り下げボルト１００と器具本体１ａとを接続するボルト受け部１ｃを備えている。このため、例えば天井埋め込み形の照明器具１の場合、新たな照明器具１が薄くて、吊り下げボルト１００と照明器具１との距離が離れても、距離が離れた分だけボルト受け部１ｃの高さが負担する。従って、照明器具１が吊り下げボルト１００に届かなくなることを抑制することができる。このように、既設の吊り下げボルト１００に加工を施すことなく、既設の吊り下げボルト１００を利用して照明器具１を交換することができる。即ち、照明器具１を交換する際の施工作業が容易であり、施工にかかるコストを削減することもできる。また、本実施の形態１は、ボルト受け部１ｃに穴加工が施されるのみで、既設の吊り下げボルト１００を利用することができる。
【００２５】
（変形例）
図８は、変形例に係る器具本体１ａ及びボルト受け部１ｃを示す斜視図である。変形例は、ボルト受け部１ｃが軸部１ｊを有し、器具本体１ａにスリット１ｉが形成されている点で、実施の形態１と相違する。図８に示すように、ボルト受け部１ｃは、実施の形態１の爪部１ｌを有しない代わりに、外側に突出する軸部１ｊを有している。なお、軸部１ｊは、螺子としてもよいし、突起としてもよい。また、器具本体１ａの側部１ｑには、軸部１ｊが挿入されるスリット１ｉが形成されている。スリット１ｉは、軸部１ｊが高さ方向に移動自在に挿入されるように、高さ方向に延びている。
【００２６】
スリット１ｉには、任意の高さから長手方向に延びる副スリット１ｎが形成されている。軸部１ｊが任意の高さの副スリット１ｎに固定されることにより、ボルト受け部１ｃが任意の高さで位置決めされる。本実施の形態１では、副スリット１ｎは、スリット１ｉの上端部及び下端部にそれぞれ形成されている。このように、副スリット１ｎが２個の場合について例示しているが、副スリット１ｎの数は、３個以上でもよい。
【００２７】
図９は、変形例に係る器具本体１ａ及びボルト受け部１ｃを示す斜視図である。軸部１ｊが、スリット１ｉの下端部に形成された副スリット１ｎにスライドされると、図９に示すように、器具本体１ａの上端とボルト受け部１ｃの上面１ｘとの高さが、相対的に低くなる。
【００２８】
図１０は、変形例に係る器具本体１ａ及びボルト受け部１ｃを示す斜視図である。軸部１ｊが、スリット１ｉの上端部に形成された副スリット１ｎにスライドされると、図１０に示すように、器具本体１ａの上端とボルト受け部１ｃの上面１ｘとの高さが、相対的に高くなる。
【００２９】
変形例によれば、器具本体１ａ及びボルト受け部１ｃのうち一方は、軸部１ｊを有し、器具本体１ａ及びボルト受け部１ｃのうち他方には、軸部１ｊが高さ方向に移動自在に挿入される高さ方向に延びるスリット１ｉが形成されている。このため、軸部１ｊがスリット１ｉに嵌合し、スリット１ｉに沿って高さ方向にスライドされることによって、軸部１ｊの高さを任意の高さに調整することができる。軸部１ｊは、ボルト受け部１ｃの側面に設けられたものであるため、変形例は、ボルト受け部１ｃの高さを任意の高さに変更することができる。ボルト受け部１ｃの高さが、既設の照明器具から新たな照明器具１に変更される際の高さを補うように設定されていても、実際には、ボルト受け部１ｃが、天井１０１裏に存在する空調ダクト等の構造物に干渉して施工することができない場合がある。変形例は、ボルト受け部１ｃの高さを任意の高さに変更することができるため、空調ダクト等の構造物に干渉することなく、ボルト受け部１ｃを施工することができる。
【００３０】
実施の形態２．
図１１は、発明の実施の形態２に係る照明器具３を上側からみた場合の組立斜視図であり、図１２は、本発明の実施の形態２に係る照明器具３を下側からみた場合の組立斜視図である。図１３は、本発明の実施の形態２に係る照明器具３を上側からみた場合の分解斜視図である。本実施の形態２は、ボルト受け部３ｃが器具本体３ａの一部を構成している点で、実施の形態１と相違する。本実施の形態２では、実施の形態１と同一の部分は同一の符号を付して説明を省略し、実施の形態１との相違点を中心に説明する。
【００３１】
図１１〜図１３に示すように、照明器具３は、器具本体３ａと、器具端板３ｂと、端子台３ｅ（図示せず）と、光源保持ばね３ｄと、取付台３ｍと、光源ユニット４とを備えている。器具本体３ａは、吊り下げボルト１００側に延びている（図１４参照）。具体的には、実施の形態１と比較して、器具本体３ａの収納部１ｏにおける側部１ｑが吊り下げボルト１００側に延びており、これに伴い、収納部１ｏにおける底部１ｐが吊り下げボルト１００側に位置している。即ち、吊り下げボルト１００側に張り出した底部１ｐと、吊り下げボルト１００側に延びる側部１ｑとが、実施の形態１のボルト受け部１ｃの機能を有している。このように、本実施の形態２では、ボルト受け部３ｃが器具本体３ａの一部を構成している。
【００３２】
取付台３ｍは、光源保持ばね３ｄが載置されるものである。器具本体３ａの収納部１ｏが吊り下げボルト１００側に延びると、光源保持ばね３ｄが収納部１ｏの奥側に配置される。これにより、光源ユニット４が取り付けられなくなるおそれがある。取付台３ｍは、収納部１ｏの底部１ｐに取り付けられることにより、取付台３ｍの高さの分だけ、光源保持ばね３ｄの位置を光源ユニット４側に移行させることができる。従って、光源保持ばね３ｄは、光源ユニット４を器具本体３ａに取り付けることができる。このように、取付台３ｍは、器具本体３ａと光源保持ばね３ｄとを接続し、器具本体３ａから光源ユニット４を離間させる。
【００３３】
図１４は、本発明の実施の形態２に係る照明器具３を示す側面断面図である。図１４に示すように、器具本体３ａは、天井１０１を構成する天井材１０３に形成された開口１０４に埋め込まれた部材である。器具本体３ａは、天井１０１から吊り下げられた吊り下げボルト１００を用いて天井１０１に取り付けられる。本実施の形態２は、器具本体３ａの収納部１ｏ（図１３参照）自体が吊り下げボルト１００側に延びていることにより、器具本体３ａが吊り下げボルト１００に締結される。
【００３４】
図１５は、本発明の実施の形態２に係る照明器具３を示す正面断面図である。図１５に示すように、吊り下げボルト１００が、器具本体３ａのうちボルト受け部３ｃとして機能する部分のボルト穴１ｕ（図１３参照）に挿入されて螺合されると、器具本体３ａは吊り下げボルト１００に固定される。本実施の形態２の照明器具３は、天井埋め込み形であるため、器具本体３ａが天井材１０３に形成された開口１０４に埋め込まれる。このように、吊り下げボルト１００の長さが短くても、器具本体３ａが吊り下げボルト１００側に延びているため、吊り下げボルト１００の長さが足りない分を、器具本体３ａの高さで補うことができる。即ち、器具本体３ａの延長部分の高さＬは、吊り下げボルト１００の長さが足りない分と等しくされればよい。
【００３５】
本実施の形態２によれば、既設されている照明器具が、新たな照明器具３に更新される場合、新たな照明器具３が薄くて、吊り下げボルト１００と照明器具３との距離が離れようとしても、距離が離れた分だけ器具本体３ａの高さが負担する。このように、吊り下げボルト１００に加工を施すことなく、照明器具３を交換することができる。即ち、照明器具３を交換する際の施工作業が容易であり、施工にかかるコストを削減することもできる。また、器具本体３ａの収納部１ｏが延びているため、収納部１ｏの剛性を高めることができる。
【００３６】
実施の形態３．
図１６は、発明の実施の形態３に係る照明器具５を上側からみた場合の組立斜視図であり、図１７は、本発明の実施の形態３に係る照明器具５を下側からみた場合の組立斜視図である。図１８は、本発明の実施の形態３に係る照明器具５を下側からみた場合の分解斜視図である。本実施の形態３は、天井直付け形の照明器具５である点で、実施の形態１と相違する。本実施の形態３では、実施の形態１と同一の部分は同一の符号を付して説明を省略し、実施の形態１との相違点を中心に説明する。
【００３７】
図１６〜図１８に示すように、照明器具５は、器具本体５ａと、器具端板５ｂと、端子台５ｅと、光源保持ばね５ｄと、光源ユニット６と、ボルト受け部５ｃとを備えている。器具本体５ａは、光源ユニット６を収納する凹部１ｒが形成された収納部１ｏと、収納部１ｏの幅方向の両側端部から両側方且つ天井１０１側に延びる反射部１ｓとを有している。収納部１ｏは、底部１ｐと底部１ｐの両側端部から垂直に立ち上がる側部１ｑとを有する。凹部１ｒは、底部１ｐ及び２つの側部１ｑによって囲まれた空間である。収納部１ｏの底部１ｐには、端子台５ｅ等が取り付けられる。底部１ｐには、外部電源から端子台５ｅに電源を供給する電源線が挿入される電源孔１ｔが形成されている。また、底部１ｐには、ボルト受け部５ｃが嵌め込まれる開口１ｋが形成されている。側部１ｑには、係合穴１ｇが形成されている。反射部１ｓは、光源ユニット６から照射される光を反射して被射対象空間側に導く。
【００３８】
図１９は、本発明の実施の形態３に係る照明器具５を示す正面断面図である。図１９に示すように、器具本体５ａは、天井１０１を構成する天井材１０３の天井面１０２に直接取り付けられる部材である。吊り下げボルト１００が、ボルト受け部５ｃの上面１ｘのボルト穴１ｕ（図１６参照）に挿入されて螺合されると、器具本体５ａはボルト受け部５ｃを介して吊り下げボルト１００に固定される。本実施の形態３の照明器具５は、天井直付け形であるため、器具本体５ａが天井材１０３の天井面１０２に直接取り付けられている。このように、吊り下げボルト１００のうちボルト部分を除く部分の下端と器具本体５ａの上端との間の距離Ｌは、ボルト受け部５ｃの高さ方向の長さＬと等しい。
【００３９】
本実施の形態３によれば、吊り下げボルト１００と器具本体５ａとの間において器具本体５ａに設けられ、吊り下げボルト１００と器具本体５ａとを接続するボルト受け部５ｃを備えている。ここで、既設されている照明器具が、新たな照明器具５に更新される場合がある。この場合、既設された吊り下げボルト１００は流用される。技術の進歩に伴って、新たな照明器具５は、既設の照明器具に比べて薄型であることが多い。既設された吊り下げボルト１００は、既設の照明器具の厚さに適合した長さである。このため、天井直付け形の照明器具５の場合、新たな照明器具５が設置されても、厚さが薄くなった分だけ、照明器具５が天井面１０２に近い位置に配置される。従って、照明器具５が、長さの長い吊り下げボルト１００に干渉するおそれがある。
【００４０】
これに対し、本実施の形態３は、吊り下げボルト１００と器具本体５ａとの間において、吊り下げボルト１００と器具本体５ａとを接続するボルト受け部５ｃを備えている。このため、例えば天井直付け形の照明器具５の場合、新たな照明器具５が薄くて、吊り下げボルト１００と照明器具５との距離が近づこうとしても、近づこうとする分だけボルト受け部５ｃの高さが負担する。これにより、照明器具５は天井面１０２から離間する。従って、照明器具５のうち光源ユニット６が、長さの長い吊り下げボルト１００に干渉することを抑制することができる。このように、吊り下げボルト１００に加工を施すことなく、照明器具５を交換することができる。即ち、照明器具５を交換する際の施工作業が容易であり、施工にかかるコストを削減することもできる。
【００４１】
実施の形態４．
図２０は、発明の実施の形態４に係る照明器具７を上側からみた場合の組立斜視図であり、図２１は、本発明の実施の形態４に係る照明器具７を下側からみた場合の組立斜視図である。図２２は、本発明の実施の形態４に係る照明器具７を下側からみた場合の分解斜視図である。本実施の形態４は、ボルト受け部７ｃが器具本体７ａの一部を構成している点で、実施の形態３と相違する。本実施の形態４では、実施の形態１〜３と同一の部分は同一の符号を付して説明を省略し、実施の形態１〜３との相違点を中心に説明する。
【００４２】
図２０〜図２２に示すように、照明器具７は、器具本体７ａと、器具端板７ｂと、端子台７ｅと、光源保持ばね７ｄと、取付台７ｍと、光源ユニット８とを備えている。器具本体７ａは、吊り下げボルト１００側に延びている（図２３参照）。具体的には、実施の形態３と比較して、器具本体７ａの収納部１ｏにおける側部１ｑが吊り下げボルト１００側に延びており、これに伴い、収納部１ｏにおける底部１ｐが吊り下げボルト１００側に位置している。即ち、吊り下げボルト１００側に張り出した底部１ｐと、吊り下げボルト１００側に延びる側部１ｑとが、実施の形態３のボルト受け部５ｃの機能を有している。このように、本実施の形態４では、ボルト受け部７ｃが器具本体７ａの一部を構成している。
【００４３】
取付台７ｍは、光源保持ばね７ｄが載置されるものである。器具本体７ａの収納部１ｏが吊り下げボルト１００側に延びると、光源保持ばね７ｄが収納部１ｏの奥側に配置される。これにより、光源ユニット８が取り付けられなくなるおそれがある。取付台７ｍは、収納部１ｏの底部１ｐに取り付けられることにより、取付台７ｍの高さの分だけ、光源保持ばね７ｄの位置を光源ユニット８側に移行させることができる。従って、光源保持ばね７ｄは、光源ユニット８を器具本体７ａに取り付けることができる。このように、取付台７ｍは、器具本体７ａと光源保持ばね７ｄとを接続し、器具本体７ａから光源ユニット８を離間させる。なお、別の取付台７ｍは、端子台７ｅを器具本体７ａから離間させる。
【００４４】
図２３は、本発明の実施の形態４に係る照明器具７を示す正面断面図である。図２３に示すように、器具本体７ａは、天井１０１を構成する天井材１０３の天井面１０２に直接取り付けられる部材である。器具本体７ａは、天井１０１から吊り下げられた吊り下げボルト１００を用いて天井１０１に取り付けられる。吊り下げボルト１００が、器具本体７ａのうちボルト受け部７ｃとして機能する部分のボルト穴１ｕに挿入されて螺合されると、器具本体７ａは吊り下げボルト１００に固定される。
【００４５】
本実施の形態４の照明器具７は、天井直付け形であるため、器具本体７ａが天井材１０３の天井面１０２に直接取り付けられている。このように、吊り下げボルト１００の長さが長くても、器具本体７ａが吊り下げボルト１００側に延びているため、吊り下げボルト１００の一部が器具本体７ａの収納部１ｏに収まる。即ち、器具本体７ａの延長部分の高さＬは、吊り下げボルト１００の長さが余る分と等しくされればよい。
【００４６】
本実施の形態４によれば、既設されている照明器具が、新たな照明器具７に更新される場合、新たな照明器具７が薄くて、吊り下げボルト１００と照明器具７との距離が近づこうとしても、近づこうとする分だけボルト受け部７ｃの高さが負担する。これにより、照明器具７は天井面１０２から離間する。従って、照明器具７のうち光源ユニット８が、長さの長い吊り下げボルト１００に干渉することを抑制することができる。このように、吊り下げボルト１００に加工を施すことなく、照明器具７を交換することができる。即ち、照明器具７を交換する際の施工作業が容易であり、施工にかかるコストを削減することもできる。また、器具本体７ａの収納部１ｏが延びているため、収納部１ｏの剛性を高めることができる。
【符号の説明】
【００４７】
１  照明器具、１ａ  器具本体、１ｂ  器具端板、１ｃ  ボルト受け部、１ｄ  光源保持ばね、１ｅ  端子台、１ｆ  ネジ、１ｇ  係合穴、１ｈ  立ち上がり面、１ｉ  スリット、１ｊ  軸部、１ｋ  開口、１ｌ  爪部、１ｎ  副スリット、１ｏ  収納部、１ｐ  底部、１ｑ  側部、１ｒ  凹部、１ｓ  反射部、１ｔ  電源孔、１ｕ  ボルト穴、１ｖ  取付穴、１ｘ  上面、１ｙ  フランジ部、２  光源ユニット、２ａ  電源装置、３  照明器具、３ａ  器具本体、３ｂ  器具端板、３ｃ  ボルト受け部、３ｄ  光源保持ばね、３ｅ  端子台、３ｍ  取付台、４  光源ユニット、５  照明器具、５ａ  器具本体、５ｂ  器具端板、５ｃ  ボルト受け部、５ｄ  光源保持ばね、５ｅ  端子台、６  光源ユニット、７  照明器具、７ａ  器具本体、７ｂ  器具端板、７ｃ  ボルト受け部、７ｄ  光源保持ばね、７ｅ  端子台、７ｍ  取付台、８  光源ユニット、１００  吊り下げボルト、１０１  天井、１０２  天井面、１０３  天井材、１０４  開口。
【図１】
2020136240.tif 000003
【図２】
2020136240.tif 000004
【図３】
2020136240.tif 000005
【図４】
2020136240.tif 000006
【図５】
2020136240.tif 000007
【図６】
2020136240.tif 000008
【図７】
2020136240.tif 000009
【図８】
2020136240.tif 000010
【図９】
2020136240.tif 000011
【図１０】
2020136240.tif 000012
【図１１】
2020136240.tif 000013
【図１２】
2020136240.tif 000014
【図１３】
2020136240.tif 000015
【図１４】
2020136240.tif 000016
【図１５】
2020136240.tif 000017
【図１６】
2020136240.tif 000018
【図１７】
2020136240.tif 000019
【図１８】
2020136240.tif 000020
【図１９】
2020136240.tif 000021
【図２０】
2020136240.tif 000022
【図２１】
2020136240.tif 000023
【図２２】
2020136240.tif 000024
【図２３】
2020136240.tif 000025